(57)【特許請求の範囲】
【請求項１】
移動体通信装置が基地局を介して送信装置からのデータを受信して記録媒体に記録する移動体通信システムの通信方法において、
前記移動体通信装置は、前記記録媒体の着脱状況を前記基地局に送信し、
前記基地局は、前記移動体通信装置から送信された記録媒体の着脱状況を受信し、前記送信装置から前記移動体通信装置への呼出し要求があった場合、前記受信された記録媒体の着脱状況を前記送信装置に通知し、
前記送信装置は、前記移動体通信装置へ呼出し要求した場合に、前記移動体通信装置に前記記録媒体が装着されていなかったときは、前記基地局から通知された前記記録媒体の着脱状況に基いて前記移動体通信装置が受信できないことを表示し、
前記基地局は、前記移動体通信装置へ呼出し要求した場合に、前記移動体通信装置に前記記録媒体が装着されていなかったときは、前記送信装置から呼出し要求があったことを前記移動体通信装置に通知し、前記移動体通信装置は、呼出し要求を受けられなかったことを示す表示、及び、記録媒体の装着を促す表示を行うことを特徴とする移動体通信システムの通信方法。
【発明の詳細な説明】
【０００１】
【発明の属する技術分野】
本発明は、移動体通信システムの通信方法に関する。
【０００２】
【従来の技術】
近年、携帯電話に代表される移動体通信システムが急速に普及しており、通常の通話だけでなく、電子メールなどのデータ通信にも多く利用されている。
【０００３】
特に、携帯用のパーソナルコンピュータの小型化・軽量化が進み、これを携帯電話等に接続して比較的大きな容量のデータを通信する場面が多く見られるようになった。これにより、例えば、外出先から会社のサーバにアクセスしてデータを検索し、必要なデータをダウンロードして書類を作成するといった複雑な作業も容易になり、機動的な活用が可能になった。
【０００４】
【発明が解決しようとする課題】
しかしながら、従来の移動体通信システム、例えば、携帯用のパーソナルコンピュータ（ＰＣ）と携帯電話などの移動体通信装置とを組合せた、いわゆるモバイルコンピューティングにおいては、大きな容量のデータのやり取りを行う場合、以下に掲げるような問題があった。
【０００５】
すなわち、このような場合、移動体側では、データの格納先として、通常、ＰＣに備わる記録装置を利用することになる。移動体側の発意によって通信が行われる場合には、大きな容量のデータをやり取りしても、さほど問題とならないが、移動体側が一方的に受信する場合には、つぎのような不都合があった。
【０００６】
例えば、移動体通信装置がファクシミリ受信を行おうとする場合、携帯電話をＰＣあるいは印字装置を備えた小型ファクシミリ装置などに接続し、受信データを携帯電話本体でなく、接続されたＰＣあるいはファクシミリ装置に格納していた。
【０００７】
このような通信システムでは、データを受信する移動体側では、予めＰＣなどに携帯電話を接続する受信準備を行う必要があり、一方、データを送信する側では、移動体通信装置が受信可能な状態にあるか否かを確認した上でないと送信することができなかった。つまり、データを受信する移動体側では、ファクシミリ送信があることを事前に知っていなければならなかった。
【０００８】
このように、容量未定のデータを受信する場合、あるいは不意に受信する必要が生じた場合、移動体通信装置はデータを受信することができず、移動体通信装置の利点である機動性を発揮することができなかった。
【０００９】
そこで、本発明は、データ受信の機動性を高めることができる移動体通信システムの通信方法を提供することを目的とする。
【００１０】
【課題を解決するための手段】
上記目的を達成するために、本発明の請求項１に記載の移動体通信システムの通信方法は、移動体通信装置が基地局を介して送信装置からのデータを受信して記録媒体に記録する移動体通信システムの通信方法において、前記移動体通信装置は、前記記録媒体の着脱状況を前記基地局に送信し、前記基地局は、前記移動体通信装置から送信された記録媒体の着脱状況を受信し、前記送信装置から前記移動体通信装置への呼出し要求があった場合、前記受信された記録媒体の着脱状況を前記送信装置に通知し、前記送信装置は、前記移動体通信装置へ呼出し要求した場合に、前記移動体通信装置に前記記録媒体が装着されていなかったときは、前記基地局から通知された前記記録媒体の着脱状況に基いて前記移動体通信装置が受信できないことを表示し、前記基地局は、前記移動体通信装置へ呼出し要求した場合に、前記移動体通信装置に前記記録媒体が装着されていなかったときは、前記送信装置から呼出し要求があったことを前記移動体通信装置に通知し、前記移動体通信装置は、呼出し要求を受けられなかったことを示す表示、及び、記録媒体の装着を促す表示を行うことを特徴とする。
【００２０】
【発明の実施の形態】
本発明の移動体通信システムの通信方法の実施の形態を説明する。本実施形態の通信装置は携帯電話端末に適用される。
【００２１】
［第１の実施形態］
図１は第１の実施形態における携帯電話端末の外観を示す斜視図である。図２は携帯電話端末の電気的構成を示すブロック図である。図において、１１は無線信号を送受信する無線部である。無線部１１は送信する信号を変調し、アンテナ１１ａを介して電波として外部に発信する。また、外部からの電波をアンテナ１１ａを介して受信し、受信した信号を復調して信号処理部１２に送出する。
【００２２】
信号処理部１２は装置全体の制御を司るものであり、無線部１１を介して外部から受け取った信号を処理して各部を制御・駆動する。信号処理部１２には、液晶パネル１３、操作パネル１４、マイク１５およびスピーカ１６が接続されている。
【００２３】
液晶パネル１３は、ユーザによって入力されたキーの確認表示、電波の状態、通話時間、電源状態などの各種情報を表示するモニタとして機能する。
【００２４】
操作パネル１４は、発信先番号を入力するためのテンキー、各種設定に使用するメニュー用のボタン、電源スイッチなどを備える。ユーザがこの操作パネル１４を用いて操作することにより、その操作に応じた制御信号が信号処理部１２に送られ、信号処理部１２はこの制御信号に応じて、例えば液晶パネル１３に文字を表示するなどの処理を行う。
【００２５】
マイク１５は、話者の音声を電気信号に変換して信号処理部１２に送出する。信号処理部１２は電気信号に変換された音声を無線部１１に送出し、無線部１１から外部に電波として送信する。
【００２６】
スピーカ１６は、外部から電波として受信した音声信号が信号処理部１２で処理され、処理された信号を音声として再生する。
【００２７】
また、携帯電話端末１の本体には、メモリモジュール１７が着脱自在に設けられている。このメモリモジュール１７は、メモリチップをカード型にパッケージしたものであり、モジュールの１辺には接続端子部１８が設けられている。
【００２８】
図３はメモリモジュール１７を携帯電話端末１の本体挿入部に挿入した状態を示す図である。メモリモジュール１７を携帯電話端末１の本体挿入部３２に挿入すると、本体挿入部３２の奥に設けられた接続端子部１９とメモリモジュール１７の接続端子部１８とが接触して導通し、メモリモジュール１７は接続端子部１９を介して記録部２０の回路に接続される。
【００２９】
記録部２０は、信号処理部１２からの信号に応じて、メモリモジュール１７にデータを記録したり、メモリモジュール１７からデータを読み出して信号処理部１２に送出する。また、携帯電話端末１の本体挿入部３２の奥にはメモリモジュール１７の挿入を検知する検知スイッチ２１が設けられている。この検知スイッチ２１は、メモリモジュール１７が挿入されると、メモリモジュール１７のハウジングによって突起２２が押し込まれることにより、オンするように構成されている。
【００３０】
検知スイッチ２１の突起２２は、ばね２３によって凸方向に付勢されており、突起２２が凸状態にあるとき、検知スイッチ２１はオフとなっている。メモリモジュール１７を本体挿入部３２から取り外すと、突起２２を押さえているハウジングが離れるので、突起２２はばね２３によって凸状態に戻され、検知スイッチ２１はオフとなる。
【００３１】
この検知スイッチ２１は信号処理部１２に接続されており、検知スイッチ２１の信号が信号処理部１２に送られる。信号処理部１２は、検知スイッチ２１から入力される信号のＯＮ／ＯＦＦによって所定の処理を行う。この処理については後述する。
【００３２】
このように、ユーザは、携帯電話端末１の本体に対してメモリモジュール１７を任意に着脱することができ、携帯電話端末１はこの着脱状態を検知することができる。
【００３３】
ここで、携帯電話端末に代表される移動体通信における位置登録に関するシステムを簡単に説明する。図４は移動体通信における位置登録に関するシステムを示す図である。
【００３４】
一般に、移動体通信システムでは、所定範囲の交信を受け持つ基地局が隣接して設置されることで広い交信可能エリアが形成されている。１つの基地局がカバーするエリアは限られている。例えば、基地局Ａ５１がカバーするエリアにあった移動局ａ５０が移動し、基地局Ａ５１がカバーするエリアから別の基地局Ｂ５２がカバーするエリアに移動した場合、移動局ａ５０は基地局Ａ５１と交信するよりも基地局Ｂ５２と交信する方が電波が強く、良好な通信状況を得ることができる。つまり、通信品質を確保するために、移動局ａ５０との通信を受け持つ基地局を基地局Ａ５１から基地局Ｂ５２に切り替えるのである。
【００３５】
このように、より良い通信状況を提供するために、移動局との通信をどの基地局が受け持つかを逐次決定する必要がある。このために、移動局の現在位置を基地局が知る必要があるが、例えば、次のようなシステムで知ることが可能である。
【００３６】
交信可能エリアにある移動局は、基地局との間で所定時間間隔で交信を行い、その電波の強弱などにより最も通信状態の良好な基地局に対して移動局自身を識別するＩＤ情報を登録する。外部からの移動局に対する呼び出しは、ＩＤ情報が登録された基地局を経由することによって行われる。これにより、移動局が移動した場合でも、位置に応じた最も通信状態の良い基地局と通信が行われる。
【００３７】
図５は携帯電話端末１の動作処理手順を示すフローチャートである。この処理プログラムは信号処理部１２内のＲＯＭ（図示せず）に格納されており、同じく信号処理部１２内のＣＰＵ（図示せず）によって実行される。
【００３８】
この携帯電話端末１の特徴は、基地局に登録するＩＤ情報にメモリモジュール１７の着脱状態を表す情報を付加して送信することにある。この携帯電話端末１では、メモリモジュール１７の着脱は検知スイッチ２１のＯＮ／ＯＦＦによって常時監視されている。すなわち、信号処理部１２は、検知スイッチ２１の出力をチェックし（ステップＳ１）、メモリモジュール１７が装着されているか否かを判別する（ステップＳ２）。そして、所定間隔毎に行われるＩＤ登録の際、検知スイッチ２１の出力に応じた情報をＩＤ情報に付加して送信する。
【００３９】
すなわち、検知スイッチ２１からの入力によって、メモリモジュール１７が装着されていると判別された場合、ＩＤ情報にメモリモジュール１７が装着されている旨の情報を付加して基地局に送信する（ステップＳ３）。一方、メモリモジュール１７が装着されていない場合、ＩＤ情報にメモリモジュール１７が装着されていない旨の情報を付加して基地局に送信する（ステップＳ４）。さらに、液晶パネル１３にメモリモジュール１７が装着されていないことを表すエラー表示を行う（ステップＳ５）。
【００４０】
ＩＤ情報を受け取った基地局は、携帯電話端末１のＩＤ情報と共にメモリモジュール１７の着脱情報を保持する。このように、検知スイッチ２１の出力は、信号処理部１２によって常時監視され、基地局とのＩＤ情報の交信が所定の間隔で行われることにより、基地局に保持されているメモリモジュール１７の着脱に関する情報は逐次更新される。ある時点でメモリモジュール１７の着脱が行われた場合、着脱後の最初のＩＤ登録の際にメモリ着脱情報が変更される。
【００４１】
この後、携帯電話端末１は待ち受け状態となり、次の位置登録処理が行われるまで待機する。つまり、信号処理部１２は受信要求があるか否かを判別し（ステップＳ６）、受信要求がない場合、ステップＳ１の処理に戻り、受信要求があった場合、受信処理を行う（ステップＳ７）。受信処理の通信終了後、ステップＳ１に戻って、再び待ち受け状態となり、次の位置登録処理が行われるまで待機する。
【００４２】
このように、基地局が移動局のメモリ着脱の情報を持つことで、移動局への呼び出しがあった場合、基地局は呼出し元の端末に携帯電話端末１のメモリ着脱の情報を返すことができ、呼出し元は基地局から返された移動局のメモリ着脱情報に応じて、呼出しの処理を変更することが可能となる。
【００４３】
図４を用いて、通信システムの具体的動作を示す。移動局ｂ５３が移動局ａ５０に対してファクシミリを送信するために呼出しを行ったとする。移動局ａ５０のＩＤ情報が登録された基地局Ｂ５２は、呼出し要求を受けて移動局ａ５０のメモリ情報を移動局ｂ５３に返信する。これにより、移動局ｂ５３は移動局ａ５０にメモリモジュール１７が装着されているか否かを知ることができる。
【００４４】
移動局ａ５０にメモリモジュール１７が装着されていなかった場合、基地局Ｂ５２から返された情報にしたがって移動局ｂ５３は移動局ａ５０にメモリモジュール１７が装着されていないことを知り、例えば、呼出しの処理を中止する。そして、移動局ｂ５３の携帯無線端末１は、その液晶パネル１３に、例えば「相手先は受信できません」との表示を行う。また、基地局Ｂ５２は移動局ｂ５３からデータ通信の呼出しがあったことを移動局ａ５０に通知し、移動局ａ５０の携帯電話端末１は、その液晶パネル１３に、例えば、「呼出しを受けられませんでした。メモリを装着してください。」と表示する。
【００４５】
このように、第１の実施形態では、ＩＤ情報と共にメモリの着脱状態を基地局に登録しておくことで、通信相手の移動局が記録可能な状態にあるか否かを知ることができる。
【００４６】
不意の受信要求があった場合でも、携帯無線端末１自身がデータを受け取ることができ、また、着脱自在なメモリモジュール１７により、受信したデータを他の機器に移動させることが容易である。
【００４７】
さらに、メモリモジュール１７の着脱状況を送信することで、通信相手と情報を共有することができる。また、メモリモジュール１７の着脱状況を液晶パネル１３に表示することで、ユーザはメモリモジュール１７の着脱状況を容易に知ることができる。
【００４８】
［第２の実施形態］
第２の実施形態の携帯電話端末の外観は、前記第１の実施形態と同じであるので、その説明を省略する。図６は第２の実施形態における携帯電話端末の電気的構成を示すブロック図である。前記第１の実施形態と同一の各部については、同一の符号を用いることによりその説明を省略する。第２の実施形態では、前記第１の実施形態と比べて、検知スイッチ２１が設けられていない点だけが異なり、その他の構成は同じである。
【００４９】
図７は第２の実施形態における携帯電話端末１の動作処理手順を示すフローチャートである。この処理プログラムは信号処理部１２内のＲＯＭ（図示せず）に格納されており、同じく信号処理部１２内のＣＰＵ（図示せず）によって実行される。
【００５０】
第２の実施形態の携帯電話端末１の特徴は、基地局に登録するＩＤ情報にメモリモジュール１７の記録可能容量を表す情報を付加して送信することにある。
【００５１】
まず、携帯電話端末１は待ち受け状態にあるとき、信号処理部１２は記録部２０に対して、所定時間間隔でメモリモジュール１７の記録可能容量（メモリ残容量）を照会する（ステップＳ１１）。記録部２０はメモリモジュール１７のメモリ残容量を計数して信号処理部１２に返す。信号処理部１２は記録部２０から返されたメモリ残容量の情報を保持する。尚、メモリモジュール１７が携帯電話端末１の本体に装着されていない場合、メモリ残容量を値０とする。
【００５２】
そして、携帯電話端末１の位置登録処理が所定時間間隔で行われる時、信号処理部１２はＩＤ情報にメモリ残容量を付加して基地局に送信する（ステップＳ１２）。ＩＤ情報を受け取った基地局は、移動局のＩＤ情報と共にメモリ残容量のデータを保持する。
【００５３】
この後、携帯電話端末１は待ち受け状態となり、次の位置登録処理が行われるまで待機する。つまり、信号処理部１２は受信要求があるか否かを判別し（ステップＳ１３）、受信要求がない場合、ステップＳ１１の処理に戻り、受信要求があった場合、受信処理を行う（ステップＳ１４）。受信処理の通信終了後、ステップＳ１１に戻って、再び待ち受け状態となり、次の位置登録処理が行われるまで待機する。
【００５４】
ステップＳ１１のメモリ残容量照会は所定時間毎に行われ、また、基地局とのＩＤ情報の交信も所定の間隔で行われることにより、基地局に保持されているメモリモジュール１７の着脱に関する情報は逐次更新される。
【００５５】
このように、基地局が移動局のメモリ残容量の情報を持つことで、移動局への呼出しがあった場合、基地局は呼出し元にメモリ残容量の情報を返すことができ、呼出し元は基地局から返された移動局のメモリ残容量情報に応じて、呼出しの処理を変更することができる。
【００５６】
図４を用いて、通信システムの具体的動作を示す。移動局ｂ５３が移動局ａ５０に対してファクシミリ送信を行うために呼出しを行ったとする。移動局ａ５０のＩＤ情報が登録された基地局Ｂ５２は、呼出し要求を受けて、移動局ａ５０のメモリ残容量を移動局ｂ５３に通知する。これにより、移動局ｂ５３は移動局ａ５０のメモリ残容量を知ることができる。移動局ａ５０のメモリ残容量が送信しようとしているデータ容量より大きい場合、呼出しを続行し、回線が接続されるとデータ転送を行う。一方、移動局ａ５０のメモリ残容量が送信しようとしているデータ容量より小さい場合、呼出しを中止する。そして、移動局ｂ５３の携帯無線端末１は、その液晶パネル１３に、例えば「相手先は受信できません」と表示する。また、基地局Ｂ５２は移動局ｂ５３からデータ通信の呼出しがあったことを移動局ａ５０に通知し、移動局ａ５０の携帯無線端末１は、その液晶パネル１３に例えば「呼出しを受けられませんでした。メモリ容量を確認して下さい。」と表示する。
【００５７】
このように、第２の実施形態では、ＩＤ情報と共にメモリモジュール１７の記録可能容量を基地局に登録しておくことで、移動局が記録可能な状態にあるかを知ることができる。
【００５８】
また、不意の受信要求があった場合でも、携帯電話端末自身がデータを受け取ることができ、着脱自在なメモリモジュール１７により、受信したデータを他の機器に移動させることが容易である。さらに、携帯電話端末はメモリモジュール１７の記録可能容量を把握でき、その状態によって受信処理を変更できる。
【００５９】
さらに、記録可能容量を送信することで、通信相手と情報を共有することができ、送信側の携帯無線端末は、受信側の携帯無線端末のメモリモジュールの状況を把握できる。
【００６０】
また、記録可能容量を液晶パネル１３に表示することで、ユーザはメモリモジュール１７の記録可能容量を容易に知ることができる。
【００６１】
［第３の実施形態］
第３の実施形態の携帯電話端末の外観は、前記第１の実施形態と同じであり、その電気的構成は前記第２の実施形態と同じであるので、その説明を省略する。
【００６２】
図８は第３の実施形態における携帯電話端末１の動作処理手順を示すフローチャートである。この処理プログラムは信号処理部１２内のＲＯＭ（図示せず）に格納されており、同じく信号処理部１２内のＣＰＵ（図示せず）によって実行される。
【００６３】
携帯電話端末１に対してデータの受信要求があった時、信号処理部１２は記録部２０にメモリ残容量を照会する（ステップＳ２１）。信号処理部１２は記録部２０から返されたメモリ残容量を保持する。さらに、受信しようとしているデータの容量を発信元に照会し、データ容量情報を得て保持する（ステップＳ２２）。
【００６４】
信号処理部１２はメモリ残容量とデータ容量とを比較し（ステップＳ２３）、メモリ残容量がデータ容量より大きい場合、受信要求を受けて受信を開始する（ステップＳ２４）。受信終了後（ステップＳ２５）、この処理を終了して待ち受け状態に移行する。
【００６５】
一方、ステップＳ２３でメモリ残容量がデータ容量より小さい場合、受信要求を拒絶し、発信元に受信不可通知を行う（ステップＳ２６）。さらに、液晶パネル１３に、例えば「データを受信できませんでした。メモリ容量を確認してください。」と表示する（ステップＳ２７）。尚、このとき、同時にデータの容量とメモリ残容量を表示してもよい。この後、待ち受け状態に移行する。
【００６６】
このように、第３の実施形態では、受信要求があった時に、メモリモジュール１７のメモリ残容量と受信データの容量とを比較し、不意の受信要求があった場合でも、受信不可通知を行うことで、送信側の携帯電話端末は、受信側の携帯電話端末のメモリモジュール１７の状況を把握できる。
【００６７】
また、記録可能容量を液晶パネル１３に表示することで、ユーザはメモリモジュール１７の受信エラーを容易に知ることができる。
【００６８】
尚、以上が本発明の実施の形態の説明であるが、本発明は、これら実施の形態の構成に限られるものではなく、クレームで示した機能、または実施の形態の構成が持つ機能が達成できる構成であればどのようなものであっても適用可能である。
【００６９】
例えば、上記各実施形態では、携帯電話端末にメモリモジュールが着脱自在に設けられた場合を示したが、メモリモジュールの代わりに、小型ファクシミリ装置、情報携帯端末などが着脱自在に設けられていてもよい。この場合、小型ファクシミリ装置、情報携帯端末などは受信データを保持しておくために十分な容量のメモリを内蔵しておくことが好ましい。
【００７０】
また、本発明は、前述した実施形態の機能を実現するソフトウェアのプログラムコードを記憶した記録媒体を、携帯電話端末にプログラムを供給することによって達成される場合にも適用できることはいうまでもない。この場合、記憶媒体から読み出されたプログラムコード自体が本発明の新規な機能を実現することになり、そのプログラムを記憶した記憶媒体は本発明を構成することになる。
【００７１】
上記実施形態では、図５、図７、図８のフローチャートに示すプログラムコードは記憶媒体である信号処理部１２内のＲＯＭに格納されている。プログラムコードを供給する記憶媒体としては、ＲＯＭに限らず、例えばフロッピーディスク、ハードディスク、光ディスク、光磁気ディスク、ＣＤ−ＲＯＭ、ＣＤ−Ｒ、ＤＶＤ、磁気テープ、不揮発性のメモリカードなどを用いることができる。
【００７２】
【発明の効果】
本発明によれば、データ受信の機動性を高めることができる。すなわち、送信装置は、移動体通信装置における記録媒体の着脱状態を知ることで、通信装置が記録可能な状態にあるか否かを知ることができ、移動体通信装置の使用者は、移動体通信装置に記録媒体が装着されていないことにより呼出し要求を受けることができないので、記録媒体を装着する必要があることを知ることができる。
【図面の簡単な説明】
【図１】第１の実施形態における携帯電話端末の外観を示す斜視図である。
【図２】携帯電話端末の電気的構成を示すブロック図である。
【図３】メモリモジュール１７を携帯電話端末１の本体挿入部に挿入した状態を示す図である。
【図４】移動体通信における位置登録に関するシステムを示す図である。
【図５】携帯電話端末１の動作処理手順を示すフローチャートである。
【図６】第２の実施形態における携帯電話端末の電気的構成を示すブロック図である。
【図７】第２の実施形態における携帯電話端末１の動作処理手順を示すフローチャートである。
【図８】第３の実施形態における携帯電話端末１の動作処理手順を示すフローチャートである。
【符号の説明】
１  携帯電話端末
１１  無線部
１２  信号処理部
１３  液晶パネル
１４  操作パネル
１７  メモリモジュール
２０  記録部
２１  検知スイッチ
【図１】
0004454794.tif 000002
【図２】
0004454794.tif 000003
【図３】
0004454794.tif 000004
【図４】
0004454794.tif 000005
【図５】
0004454794.tif 000006
【図６】
0004454794.tif 000007
【図７】
0004454794.tif 000008
【図８】
0004454794.tif 000009